(57)【要約】【課題】  断熱材と換気による断熱および湿度低減を大幅に向上させて躯体を十分に保全するととともに、雨音の遮音が効果的に発揮され、さらに小屋裏の有効活用が図られる金属製屋根材を用いた屋根構造を提供する。【解決手段】  野地板２３の上に、軒先から棟方向に延びる通気用垂木２５を固定し、通気用垂木２５の上に、断熱材を金属板で挟んでなる断熱パネル２６を固定して、野地板２３と断熱パネル２６との間に屋根通気層２７を設ける。断熱パネル２６の上に、金属製屋根材２９を施工する。野地板２３の下の屋根用垂木２２の間に断熱材２４を設けてもよく、また、屋根通気層２７を、外壁部１０の外壁通気層１５に連通させてもよい。【選択図】  図１
2006169885.tif 000002
【特許請求の範囲】
【請求項１】
屋根下地材の上に、軒先から棟方向に延びる複数の通気用垂木が固定され、これら通気用垂木の上に、断熱材を金属板で挟んでなる金属被覆断熱材が固定され、これによって前記屋根下地材と前記金属被覆断熱材との間に外部に開放する屋根通気層が設けられ、さらに、前記金属被覆断熱材の上に金属製屋根材が施工されていることを特徴とする外断熱工法を用いた屋根構造。
【請求項２】
前記屋根下地材は、複数の屋根用垂木と、これら屋根用垂木の上に固定される野地板とを備えており、屋根用垂木間に、断熱材が設けられていることを特徴とする請求項１に記載の外断熱工法を用いた屋根構造。
【請求項３】
前記屋根通気層が、軒先空間を介して、外壁部に設けられた外壁通気層に連通していることを特徴とする請求項１または２に記載の外断熱工法を用いた屋根構造。
【請求項４】
前記金属被覆断熱材の軒先側の端部に水切が取り付けられ、該水切は、前記屋根通気層に外気を導入させるための外気導入口を有していることを特徴とする請求項１〜３のいずれかに記載の外断熱工法を用いた屋根構造。
【請求項５】
屋根構造の軒先側の端部に取り付けられる水切であって、該水切は、内部に外気を導入させるための外気導入口を有するとともに、この外気導入口から内部への水の吹き込みを抑える水除け板が設けられていることを特徴とする水切。
【請求項６】
既設の屋根材の上に、軒先から棟方向に延びる通気用垂木を固定し、この通気用垂木の上に、断熱材を金属板で挟んでなる金属被覆断熱材を固定し、これによって、前記屋根下地材と前記金属被覆断熱材との間に屋根通気層を設け、さらに前記金属被覆断熱材の上に金属製屋根材を施工することを特徴とする屋根の外断熱修復施工方法。
【発明の詳細な説明】
【技術分野】
【０００１】
本発明は、外断熱工法を用いた住宅、特に木造住宅の屋根構造に係り、その屋根構造と、軒先に取り付ける水切、さらには既設の屋根を外断熱工法で修復する施工方法に関する。
【背景技術】
【０００２】
近年の木造戸建て住宅においては、快適な温度および湿度の居住環境を確保したり、冷暖房のエネルギーを節約したりする上で、建物全体の高断熱化・高気密化が図られており、そのためには、外断熱工法が有効であるとされている。外断熱工法は、外壁部であれば、室内側に配した断熱材と、外側に施工した外壁材との間に通気層を設ける工法であり、通気層に外気を通して換気させることにより、上記の高断熱化・高気密化を可能とし、また、木造である建物躯体の調湿が効果的になされて寿命の向上にも寄与するものである。
【０００３】
従来の外断熱工法では、上記通気層に設けられた床下換気口等の下端開口より外気を導入し、温度上昇に伴い発生した上昇気流により、通気層を上昇した空気を小屋裏に導き、棟に設けられた棟換気口から排気させる換気構造が採られていた。このような換気構造により、小屋裏内の空気も排気され、その結果として屋根の空冷効果を得るものであった。なお、この場合には、通常、天井裏に敷設した断熱材によって、屋根を通過した熱の室内への伝達を遮るようにしている。
【０００４】
ところが、外壁の通気層から小屋裏を経て棟から排気する上記換気構造では、小屋裏に対する空気の導入位置や排気の位置が適切でなかったり、小屋裏空間の容積が大きいために空気の滞留が起こることなどに起因して、円滑に換気されない場合がある。このように小屋裏内の換気が不十分であると、小屋裏内に結露が生じやすくなったり、室内に対する断熱効果が損なわれやすくなったりするといった問題を招く。そこで、屋根にも外断熱工法を適用した、いわゆる屋根外断熱工法が提案されている（例えば、特許文献１，２，３）。
【０００５】
【特許文献１】特開２００２−２８５６４６号公報
【特許文献２】特開２００２−３０９７２０号公報
【特許文献３】特開２００３−３２８４６０号公報
【発明の開示】
【発明が解決しようとする課題】
【０００６】
上記各文献に記載の屋根構造は、いずれも、屋根用垂木の上に設けた断熱材と、葺かれた屋根材との間に屋根通気層が形成され、この屋根通気層に、外壁側の通気層を上昇する空気を導入し、棟から排気している。このような屋根外断熱工法によれば、屋根自体が、その内部を流れる空気によって換気されることに加え、通気層と断熱材の存在により、屋根から室内への熱伝達が効果的に遮断されるとされている。
【０００７】
ところで、上記屋根材としては、粘度を成形して焼成した古くからの瓦に代わって、主たる成分をセメントとする板状屋根材が広く普及している。しかしながらこの種の屋根材は、長期にわたって使用すると、水分の放散による反りや、劣化による割れが生じやすく、また、褪色するといった欠点が認められている。屋根材の反りや割れは屋根材間に隙間を作って雨漏りを招き、また、褪色は美観を損ねることになるため、修復の需要も少なくない。
【０００８】
そこで、これらの問題が生じないばかりか、地震にも強く、しかも軽量で安価に施工し得る屋根材として、トタン等の金属板が改めて見直されてきている。ところが、金属板は、熱吸収性が高く、室内の高温化を助長し、また、雨による衝撃音、すなわち屋根材を叩く雨音が大きくなるので、降雨時の快適性を低下させるといった欠点を有する。これらの問題は、たとえ上記各公報に記載の屋根材に金属板を適用した場合にも生じ得るものであり、改善が望まれるところであった。
【０００９】
よって本発明は、軽量で安価な金属製屋根材を用いた屋根の、換気による断熱および湿度低減と、雨音の遮音が効果的になされ、躯体を十分に保全するとともに快適な居住性が確保することのできる外断熱工法を用いた屋根構造および水切ならびに屋根の修復施工方法を提供することを目的としている。
【課題を解決するための手段】
【００１０】
本発明の外断熱工法を用いた屋根構造は、屋根下地材の上に、軒先から棟方向に延びる複数の通気用垂木が固定され、これら通気用垂木の上に、断熱材を金属板で挟んでなる金属被覆断熱材が固定され、これによって屋根下地材と金属被覆断熱材との間に外部に開放する屋根通気層が設けられ、さらに、金属被覆断熱材の上に金属製屋根材が施工されていることを特徴としている。
【００１１】
本発明の屋根構造によれば、日射により温度上昇した屋根材の熱は、金属被覆断熱材と、この金属被覆断熱材の直下の屋根通気層との断熱効果によって室内に伝達しにくくなり、しかも屋根全体が、屋根通気層を通る空気で空冷されることと相まって、屋根自体の効果的な断熱および湿度低減が図られ、よって、室内の温度および湿度の上昇が抑えられる。
【００１２】
また、このように屋根の外断熱が効果的に達成されることにより、屋根と天井間の小屋裏の温度および湿度の上昇が抑えられ、その結果、天井に断熱処理を施す必要がなくなるとともに、小屋裏を有効に活用することができる。小屋裏の有効活用としては、小屋裏を部屋として構成したり、あるいは天井を設けない構造として室内の上方空間を拡張するなどが挙げられる。
【００１３】
また、金属は、温度差や湿度が原因で結露を生じやすいが、断熱材を２枚の金属板で挟んだ本発明の金属被覆断熱材は、屋根通気層の外側に配され、屋根通気層に面する金属板には屋根通気層を流動する空気が接触するので、湿度の上昇が抑えられ、金属板に結露が生じることが防止される。さらに、降雨による金属製屋根材の衝撃音は、金属被覆断熱材の遮音効果によって抑えられ、このため、降雨時の屋根の雨音による快適性の低下が防止される。
【００１４】
上記屋根構造において、屋根下地材が、複数の屋根用垂木と、これら屋根用垂木の上に固定される野地板とを備えており、屋根用垂木間に断熱材が設けられていることは、本発明の好ましい形態である。この断熱材は、野地板の直下に配され、例えば簡素な構成の金具によって屋根用垂木に固定される。この形態によると、屋根通気層の室外側と室内側とに断熱材が配された二重断熱通気構造となる。これは、断熱材が一層である従来の屋根外断熱工法に比べ、屋根通気層と室外側の上記金属被覆断熱材とが追加された構造であり、断熱効果が著しく向上するため、炎天下の金属製屋根でも快適な居住性が確保される。
【００１５】
また、上記屋根構造では、屋根通気層が、軒先空間を介して、外壁部に設けられた外壁通気層に連通していることも、本発明の好ましい形態である。この形態によると、外壁通気層を上昇する空気が、軒先空間を経て屋根通気層に流入し、外部に排気される。屋根通気層の換気が、外壁通気層を上昇する空気によって滞留することなく円滑に外部に排気されるので、本発明の断熱効果をいっそう高めることができる。また、住宅の外壁と屋根とを通気層で囲繞する構造となり、断熱や結露防止といった外断熱工法の効果を最大限に得ることが可能となる。
【００１６】
屋根通気層の空気を円滑に排気させるにあたっては、上記のように外壁通気層に屋根通気層を連通させた構造に加えて、金属被覆断熱材の軒先側の端部に、屋根通気層に外気を導入させる外気導入口が形成された水切を取り付ける形態が挙げられる。この形態によると、水切に風が当たると、外気導入口から空気が屋根通気層に導入され、屋根通気層を通って外部に排気される空気の流れが生じることにより、屋根通気層の空気が円滑に排気される。
【００１７】
このように水切によって屋根内に外気を導入して屋根を換気させることは、軒先から屋根内に外気を導入して換気させることを容易に実現させることができるとともに、水切の取り付けでそれが可能になるため、既設構造を大きく変更させることなく、かつ、屋根の全周囲から屋根換気を行うことができる。また、軒天井が小さい場合や、ガラリの施工が困難な場合があっても、この水切を取り付けることにより、屋根換気が可能となる。
【００１８】
上記のような水切は、外気導入口から水切内への水の吹き込みを抑える水除け板が設けられていると、本発明の屋根内への水の侵入を防止する上で好ましく、このような水切は、本発明の１つとするところである。
【００１９】
次に、本発明の屋根の外断熱修復施工方法は、既設の屋根材の上に、軒先から棟方向に延びる通気用垂木を固定し、この通気用垂木の上に、断熱材を金属板で挟んでなる金属被覆断熱材を固定し、これによって、屋根下地材と金属被覆断熱材との間に屋根通気層を設け、さらに金属被覆断熱材の上に金属製屋根材を施工することを特徴としている。
【００２０】
この修復施工方法によれば、上記本発明の外断熱工法を用いた屋根構造が、既設の屋根材の上に施工される。なお、既設の屋根材としては、窯業のスレート屋根等、セメント瓦、金属瓦あるいはトタン製の屋根材等が挙げられる。本発明の修復施工方法では、上記本発明の屋根構造の屋根下地材の代わりが既設の屋根材に相当するものであり、屋根材から上の構造は、上記本発明の屋根構造と全く同じものである。したがって、この修復施工方法で修復した屋根は、上記本発明の効果を同様に得ることができ、また、請求項３〜６の形態を適用することができる。
【発明の効果】
【００２１】
本発明によれば、軽量で安価な金属製屋根材を用いた屋根において、断熱材と換気による断熱および湿度低減と雨音の遮音が効果的になされ、快適な居住性を得ることができるといった効果を奏する。
【発明を実施するための最良の形態】
【００２２】
以下、図面を参照して本発明の一実施形態を説明する。
（１）新築用屋根構造
図１は、一実施形態の外断熱工法が適用された木造住宅の、外壁部１０から、本発明に係る屋根構造が適用された傾斜する屋根部２０にわたる部分の縦断面を示している。この住宅は、図示せぬ土台上に、軸組構造としての柱１１が支持され、この柱１１の上に屋根部２０が支持されている。
【００２３】
柱１１の室外側（図１で左側）には断熱材１２が施工され、この断熱材１２のさらに室外側には、胴縁１３を介して外壁材１４が施工されている。なお、図示例では柱１１の室外側（図１で左側）に断熱材１２が施工されているが、隣り合う柱１１間に断熱材１２が施工される場合もある。胴縁１３は横方向（図１で図面表裏方向）に間隔をおいて配列されており、この胴縁１３をスペーサとして、断熱材１２と外壁材１４との間に外壁通気層１５が設けられている。この外壁通気層１５は、図示せぬ床下換気口によって下端が外部に開放している。
【００２４】
一方、柱１１の室内側には内壁材１６が施工されている。柱１１の上端には、梁１７が架け渡されて固定されている。梁１７の下方には天井１８が施工され、天井１８の下面には内装材１９が施工されている。屋根部２０と天井１８との間が、小屋裏３０とされる。
【００２５】
図２および図３は屋根部２０を示しており、これら図にも示されるように、屋根部２０の屋根下地材２１は、軒先から棟方向に延びる複数の屋根用垂木２２と、これら屋根用垂木２２の上に固定された野地板２３とから構成されている。屋根用垂木２２は、梁１７から、屋根部２０の頂点に配される図示せぬ棟木との間にわたり、横方向に所定の間隔をおいて配列されている。これら屋根用垂木２２の間には、屋根用垂木２２と上面を面一にした状態で、板状断熱材２４が配設されている。この断熱材２４は、適宜な金具等で屋根用垂木２２に固定され、屋根用垂木２２間の空間が、この断熱材２４で塞がれた状態となっている。
【００２６】
断熱材２４としては、合成樹脂発泡断熱材を板状に成形したものなどが好ましく用いられる。具体的には、ポリスチレン、ポリエチレン、ポリプロピレン、イソシアヌレート、フェノール、ポリ塩化ビニル、ポリウレタン等の合成樹脂を発泡させて得られた微細構造の発泡板や、ロックウール、グラスウール、炭酸カルシウム発泡体等の合成樹脂を使用しない材料を板状に成形したものが挙げられ、中でも、剛性、断熱性および透湿抵抗のいずれの特性も高いレベルのポリスチレンの押し出し発泡板や、ポリウレタン板等が最適である。
【００２７】
野地板２３の上には、軒先から棟方向に延びる複数の通気用垂木２５が固定されている。これら通気用垂木２５は、屋根用垂木２２の直上に配され、その屋根用垂木２２に釘打ち等の手段で固定されるが、図２に示すように、屋根用垂木２２に対して１つおき、あるいは２つおきに配してもよく、全ての屋根用垂木２２に対応させて配してもよい。
【００２８】
通気用垂木２５の上には、金属サンドイッチ断熱パネル（金属被覆断熱材：以下、断熱パネルと称する）２６が施工されている。この断熱パネル２６は、断熱材を薄板状の金属板で挟んでなるもので、芯材である断熱材としては、例えば上記断熱材２４と同様のものが用いられる。金属板は、例えば一般的な亜鉛鉄板、カラー鉄板あるいはガルバリウム鋼板等が用いられ、断熱材の表裏面に接着等の手段で張り付けられている。この断熱パネル２６は、外側から貫通して通気用垂木２５にねじ込まれる皿ねじ等の締結具によって、通気用垂木２５に固定される。
【００２９】
各通気用垂木２５をスペーサとして、野地板２３と断熱パネル２６との間に屋根通気層２７が設けられている。この屋根通気層２７の棟側は、棟に設けられた図示せぬ棟換気口を介して外部に開放している。
【００３０】
断熱パネル２６の上には、防水シートとしてアスファルトルーフィング２８が敷設され、さらにその上に多数の屋根材２９が葺かれ、これによって、屋根下地材２１から屋根材２９にわたる屋根部２０が構成されている。
【００３１】
屋根材２９は、例えばトタン（亜鉛メッキ鋼板）等の耐食性に富んだ金属板等からなる金属瓦が用いられ、外側から貫通して断熱パネル２６にねじ込まれるビス等の締結具によって、断熱パネル２６に固定され、さらに必要に応じて部分的に通気用垂木２５にも固定される。
【００３２】
図１に示すように、上記屋根部２０の通気用垂木２５から上方部分は、外壁部１０の断熱材１２よりもさらに軒先方向に延び、その端部の下方空間は、雨樋３１が固定された破風３２と、この破風３２から外壁材１４とを繋ぐ軒天井３３とにより、軒先空間３４が形成されている。そして、屋根通気層２７は、軒先空間３４を介して、外壁部１０の外壁通気層１５に連通している。
【００３３】
また、上記断熱パネル２６の軒先側の端部には、図４に示すように、水切４０が取り付けられている。この水切４０は、鋼板の板金加工、あるいはアルミニウム等の金属の押出加工によって成形されており、図５および図６に示すように、断面が概ね鉤型状であって、互いに平行な上板部４１および軒下板部４２と、これら板部４１，４２を繋ぐ軒先板部４３とを備えている。
【００３４】
上板部４１は軒下板部４２よりも奥行き（図５で右方向の長さ）が長く、軒先側の端部には、上板部４１から延長して軒先方向に突出する上側水切片４４が形成されている。また、軒先板部４３の下端には、軒先板部４３から延長して下方に突出する下側水切片４５が形成されている。
【００３５】
軒下板部４２の奥行き方向中間部には、軒下板部４２の面に対してほぼ直立し、かつ、長手方向に延びるリブ４６が形成されている。そして、このリブ４６の軒先側には、長手方向に等間隔をおいて、複数の矩形状の外気導入口４７が形成されている。この外気導入口４７の上方は、リブ４６の根元部分から軒先側に向かって所定角度（例えば３０°前後）で斜めに立ち上がるように形成された水除け板４８によって覆われている。なお、外気導入口４７には、虫やゴミ等が当該水切４０内に侵入することを防ぐための網が張られていると好ましい。
【００３６】
上記水切４０は、図４に示すように、上板部４１を断熱パネル２６とアスファルトルーフィング２８との間に挟み、軒下板部４２を破風３２の上端に当て、かつ、軒先板部４３の裏面を断熱パネル２６の先端に当てた状態で、断熱パネル２６に固定される。この状態で、外気導入口４７は破風３２の前側に配される。また、軒下板部４２と断熱パネル２６との間には隙間が空いており、この隙間は、軒先空間３４を経て屋根通気層２７に連通している。
【００３７】
以上が本実施形態の屋根部２０であり、この屋根部２０は、屋根用垂木２２、断熱材、野地板がこの順で施工され、次いで、通気用垂木２５、断熱パネル２６、アスファルトルーフィング、屋根材２９の順で施工される。
【００３８】
この屋根部２０では、図１の矢印Ａで示すように、外壁部１０の外壁通気層１５に、床下換気口から空気が流入して上昇し、この空気は、外壁通気層１５から軒先空間３４を経て屋根通気層２７に流入し、図１および図２の矢印Ｂに示すように、屋根通気層２７を上昇する。一方、水切４０内には、図１および図４の矢印Ｃに示すように、外気導入口４７から空気が流入し、その空気は、軒先空間３４において外壁通気層１５を上昇してきた空気と合流する。このようにして、外壁通気層１５を上昇する空気に、水切４０から流入した空気が合流し、その空気は、屋根通気層２７を上昇して、棟換気口から排気される。
【００３９】
この屋根部２０によれば、日射により温度上昇した屋根材２９の熱は、断熱パネル２６と、この断熱パネル２６の直下の屋根通気層２７との断熱効果によって室内に伝達しにくくなり、しかも屋根部２０全体が、屋根通気層２７を通る空気で空冷されることと相まって、屋根材２９が金属板であるにもかかわらず、効果的な断熱が図られ、室内の温度および湿度の上昇が抑えられる。断熱効果は、小屋裏３０で顕著であり、このため、天井１８の上面に断熱材を設けるなどの天井断熱を不要にすることも可能になり、これによって小屋裏３０を有効に活用することができる。
【００４０】
本実施形態の断熱パネル２６は、金属板で断熱材を挟んだ構造のものであり、通常、金属は、温度差や湿度が原因で結露を生じやすい。ところが、断熱パネル２６は屋根通気層２７の外側に配され、裏側の金属板には屋根通気層２７を流動する空気が接触するので、湿度の上昇が抑えられ、金属板に結露が生じることが防止される。さらに、降雨による屋根材２９の衝撃音は、断熱パネル２６の遮音効果によって抑えられ、このため、降雨時の屋根の雨音による快適性の低下が防止される。
【００４１】
また、本実施形態では、屋根用垂木２２間に断熱材２４が設けられていることにより、屋根通気層２７を挟んで、室外側には断熱パネル２６が、室内側には断熱材２４がそれぞれ設けられた二重断熱通気構造となっているので、断熱効果が大幅に向上したものとなっている。
【００４２】
また、外壁通気層１５を上昇する空気が、軒先空間３４を経て屋根通気層２７に流入し、さらに、水切４０から軒先空間３４を経た空気が屋根通気層２７に導入されることにより、屋根通気層２７の換気が滞留することなく円滑になされる。このような換気作用をなす外壁通気層１５と屋根通気層２７とにより、外壁部１０と屋根部２０とが、常に空気が流通する通気層で囲繞された構造となり、このため、断熱や結露防止といった外断熱工法の効果を最大限に得ることができる。
【００４３】
また、本実施形態の水切４０は、上記のように屋根部２０内に外気を導入して屋根換気を促進させる機能を有しているが、この水切４０によって、例えば軒天井３３に換気口を設けることなく、屋根部２０の換気を実現させることができるとともに、既設構造を大きく変更させることなく、かつ、屋根部２０の全周囲から屋根換気を行うことができるといった優れた利点を有する。また、軒天井３３が小さい場合や、ガラリの施工が困難な構造であっても、この水切４０を取り付けることにより、屋根換気が可能となる。
【００４４】
その水切４０においては、降雨時に外気導入口４７から水切４０内に雨水が吹き込むことが懸念されるが、雨水は、水除け板４８に当たってそれ以上の侵入が防止される。また、水切４０は比較的複雑な形状を呈してはいるものの、上記のように板金加工あるいは押出加工によって、比較的安価に製造することができるものとなっている。
【００４５】
（２）既設屋根の修復施工方法
次に、図７〜図１０を参照して、本発明に係る屋根の修復施工方法の一実施形態を、工程順に説明する。図７は修復を要する屋根部５０を備えた住宅を示しており、図８〜図１０は、屋根部５０が修復された後の状態を示している。
【００４６】
図７に示す既設の屋根部５０の屋根材５１は、屋根用垂木５２の上に固定された野地板５３に固定されている。なお、野地板５３と屋根材５１との間には、図示せぬアスファルトルーフィングが敷設されている。
【００４７】
この住宅の外壁部６０は、柱６１と、隣り合う柱６１の間に設けられた断熱材６２とを備え、柱６１の室外側には外壁材６３が、また、室内側には内壁材６４が、それぞれ施工されている。
【００４８】
柱６１の上端には、梁６５が架け渡されて固定されている。梁６５の下方には、室内側の下面に内装材６６が張られた天井６７が施工されており、屋根部５０と天井６７との間が、小屋裏６８とされる。また、雨樋６９が固定される破風７０と軒天井７１とにより軒が形成され、軒天井７１には、外部から軒先空間７２に通じる換気口７３が形成されている。
【００４９】
上記屋根部５０を修復するにあたっては、まずはじめに、雨樋６９を取り外してから、屋根材５１の上に、軒先から棟方向に延びる通気用垂木２５を固定する。通気用垂木２５は、屋根用垂木５２の直上に配し、その屋根用垂木５２に釘打ち等の手段で固定する。通気用垂木２５は、図９に示すように、屋根用垂木５２に対して１つおき、あるいは２つおきに配してもよく、全ての屋根用垂木５２に対応させて配してもよい。
【００５０】
次に、通気用垂木２５の上に、断熱材を薄板状の金属板で挟んでなる上記断熱パネル２６を、皿ねじ等の締結具によって固定する。これにより、各通気用垂木２５をスペーサとして、既設の屋根材５１と断熱パネル２６との間に屋根通気層２７が設けられる。
【００５１】
続いて、既設の破風７０および軒天井７１の外側に、新たな破風７０Ａおよび軒天井７１Ａを施工する。軒天井７１Ａには、換気口７３Ａが形成されている。また、新設の破風７０Ａに、新たに雨樋６９Ａを取り付ける。
【００５２】
次に、断熱パネル２６の上に防水シートとしてアスファルトルーフィング２８を敷設し、この上に、上記金属製屋根材２９を葺く。屋根材２９は軒先側から棟側に順次敷設していくが、敷設した屋根材２９の棟側の端部に、次に敷設する屋根材２９の軒先側の端部を重畳させることを繰り返して施工する。屋根材２９の固定は、重畳部で隠れる部分を、ビス等の締結具によって断熱パネル２６に固定し、さらに必要に応じて部分的に通気用垂木２５にも固定する。
【００５３】
また、屋根材２９の施工と合わせて、図示は省略するが、上記水切４０を、同様にして断熱パネル２６の軒先側の端部に取り付ける。そして、屋根材２９の施工後は、屋根通気層２７および小屋裏６８を外部に開放させる棟換気口を、棟に設ける。
【００５４】
以上の修復施工方法によって修復された屋根部５０Ａによれば、軒先、すなわち水切４０の外気導入口４７から流入した空気（図８のＤで示す）は、屋根通気層２７を上昇して、棟換気口から外部に排気される。一方、軒天井７１Ａ，７１の換気口７３Ａ，７３から軒先空間７２に流入した空気（図８のＥで示す）は、小屋裏６８を上昇して、同じく棟換気口から外部に排気される。
【００５５】
日射により温度上昇した屋根材２９の熱は、断熱パネル２６と、この断熱パネル２６の直下の屋根通気層２７との断熱効果によって、既設の屋根部５０には伝達しにくくなる。そして、屋根部５０に伝達した一部の熱は小屋裏６８に達するが、その熱は、小屋裏６８を上昇する空気によって棟換気口から外部に排出される。このような断熱および換気の作用により、室内の温度上昇が効果的に抑えられる。
【００５６】
上記修復施工方法では、図１で示したものと同様の外断熱工法を用いた屋根構造を、既設の屋根材５１の上に施工することができ、したがって、上述した効果を同様に得ることができるわけである。また、金属製の屋根材２９を施工することにより、耐震性および耐久性に優れた屋根構造となる。
【００５７】
また、既設の屋根材を除去せずに屋根を新設するので、居住者の生活を脅かすことなく屋根の修復を行うことができ、また、既設の屋根材を廃棄する必要がないので、コストの上昇を抑えることができる。さらに、既設の屋根の上に新設するものの、断熱パネル２６および金属製の屋根材２９は極めて軽量であるため、躯体への負担を招くことがなく、補強工事も不要である。
【００５８】
なお、このような修復施工方法によって施工された屋根構造には、図１に示したように外壁部の外壁通気層を屋根通気層２７に連通させる工法を適用することも可能である。
【実施例】
【００５９】
次に、本発明の実施例を説明する。
（１）新築住宅の温度測定
図１と同様の屋根構造を新築住宅に適用して建築し、この住宅の、表１（ａ）に挙げる箇所の温度を測定した。なお、測定時の外気温は３２．８℃であり、室内では冷暖房／空調機器は使用しなかった。
【００６０】
（２）屋根を修復した住宅の温度測定
上記実施形態と同様にして屋根を修復し、図８に示すような屋根構造とした住宅につき、表１（ｂ）に挙げる箇所の温度を測定した。なお、この住宅は、上記新築住宅に近接しており、したがって、外気温は３２．８℃と同じであり、また、室内での冷暖房／空調機器を使用しないことも同じ条件とした。
【００６１】
【表１】
2006169885.tif 000003
【００６２】
上記の温度測定結果を、表１（ａ），（ｂ）にそれぞれ示す。
表１（ａ）に示した新築住宅においては、屋根材の表面が６８．４℃であるにもかかわらず、小屋裏では３１．６℃、室内では３１．９℃と、いずれも屋内の温度が著しく低くなっており、本発明の屋根構造の断熱効果が実証された。特に、室内よりも高温であることが予想された小屋裏が、室内よりも若干ではあるが温度が低く、これは本発明の屋根構造の断熱効果が顕著に示されていると言えるであろう。
【００６３】
表１（ｂ）に示した修復屋根の住宅においては、屋根材の表面が７４．３℃であったが、既設の屋根材の表面が３４．６℃と大幅に低くなっており、したがって、本発明の断熱パネルおよび屋根通気層による断熱効果が優れていることが実証された。
【００６４】
（３）屋根の遮音性
降雨時に、上記新築住宅の室内において、窓を閉めた状態で屋根から生じる雨音を実際に聞いた。その結果、金属板を叩くような雨音はほとんど聞こえず、十分な遮音性を有していることが確認された。
【図面の簡単な説明】
【００６５】
【図１】本発明の一実施形態の屋根構造を示す縦断面図である。
【図２】一実施形態の屋根構造を示す一部破断斜視図である。
【図３】一実施形態の屋根構造を模式的に示す（ａ）側断面図、（ｂ）横断面図である。
【図４】図１に示した屋根構造の軒先部の拡大図である。
【図５】一実施形態の屋根構造に適用される水切の縦断面図である。
【図６】図４に示す水切の斜視図である。
【図７】本発明の一実施形態の屋根修復施工方法が適用される既設の屋根構造を示す縦断面図である。
【図８】一実施形態の屋根修復施工方法によって修復された屋根構造を示す縦断面図である。
【図９】一実施形態の屋根修復施工方法によって修復された屋根構造を示す一部破断斜視図である。
【図１０】一実施形態の屋根修復施工方法によって修復された屋根構造を模式的に示す（ａ）側断面図、（ｂ）横断面図である。
【符号の説明】
【００６６】
１０…外壁部、１５…外壁通気層、２１…屋根下地材、２２…屋根用垂木、
２３…野地板、２４…断熱材、２５…通気用垂木、
２６…金属サンドイッチ断熱パネル（金属被覆断熱材）、２７…屋根通気層、
２９…金属製屋根材、３４…軒先空間、４０…水切、４２…水切の軒下板部、
４７…外気導入口、４８…水除け板、５１…既設の屋根材。
【図１】
2006169885.tif 000004
【図２】
2006169885.tif 000005
【図３】
2006169885.tif 000006
【図４】
2006169885.tif 000007
【図５】
2006169885.tif 000008
【図６】
2006169885.tif 000009
【図７】
2006169885.tif 000010
【図８】
2006169885.tif 000011
【図９】
2006169885.tif 000012
【図１０】
2006169885.tif 000013